(57)【要約】      （修正有）【課題】複数の鉛蓄電池格子体を足部で連結させた連結格子体を用いて極板を製造する際に、前記連結格子体が変形し難い鉛蓄電池格子体を提供する。【解決手段】活物質を保持する格子２を備えた格子部３、格子部３の上枠３ａに設けられた集電部４、格子部３の下枠３ｂに設けられた複数の足部５、６を主要部とする鉛蓄電池格子体１において、格子部３に前記集電部４と足部５、６を結ぶ直線状の格子７、８が少なくとも１本設けられた鉛蓄電池格子体。格子部３に集電部４と足部５、６を結ぶ直線状の格子７、８を設けたので、連結格子体９の強度が向上し、連結格子体９をその両側の集電部４、４で支持して保持および搬送する際に変形が生じ難い。従って極板の製造歩留まりが向上する。【選択図】図１
2009170184.tif 000002
【特許請求の範囲】
【請求項１】
活物質を保持する格子を備えた格子部と、前記格子部の上枠に設けられた集電部と、前記格子部の下枠に設けられた複数の足部とを備える鉛蓄電池単位格子体が該足部で互いに連結された状態で複数枚分を一体とした鉛蓄電池連結格子体において、各単位格子体の集電部から下枠に設けられた複数の足部間に差し渡る直線状の格子を少なくとも２本設け、且つ、一方の単位格子体に設けられた直線状の格子と他方の単位格子体に設けられた直線状の格子とが足部を介して夫々連続していることを特徴とする鉛蓄電池連結格子体。
【発明の詳細な説明】
【技術分野】
【０００１】
本発明は、複数の鉛蓄電池単位格子体を足部で連結させた連結格子体を用いて極板を製造する際に、前記連結格子体が変形し難い鉛蓄電池連結格子体に関する。
【背景技術】
【０００２】
例えば自動車の始動用に用いられる鉛蓄電池は多数枚の極板を用いて構成された極板群と多量の電解液を電槽内に収納して製造されている。用いられる極板は格子基板にペースト状活物質を塗布充填して得られるが、この鉛蓄電池の単位格子体は、図４（イ）に示すように、活物質を保持するための格子２を備えた格子部３と、格子部３の上枠３ａに設けられた集電部（耳部）４と、格子部３の下枠３ｂに設けられた複数の足部５、６から構成されている。
【０００３】
この単位格子体１を金型鋳造する場合、生産性を上げるため、図４（ロ）に示すように、一対（複数）の格子体１をその足部５、６で互いに連結させて連結格子体９として鋳造することが多い。この連結格子体９は活物質の充填、乾燥、熟成などの各工程を経たのち、その足部５、６の中間で切断して複数の極板が製造される。
【０００４】
しかしながら、前記連結格子体９は、極板が製造されるまでの間の保持および搬送が、連結格子体９の両側の集電部４、４を支持して行われるため、連結格子体９は、図４（ハ）に示すように、保持および搬送中に自重でハの字状に変形して足部切断後の極板に寸法不良が生じ、極板の製造歩留まりが低下するという問題があった。
【０００５】
また、連結格子体９の搬送を両側の集電部４、４で支持して行うのでは無く、連結格子体９の最外側の上端に位置する部分に「捨て耳」と称する比較的広幅な懸垂用捨て耳を一体に鋳造し、最終的に切断除去し極板を製造する場合があるが、前記同様、保持および搬送中に自重でハの字状に変形する問題があった。
【０００６】
連結格子体の変形防止のために、連結格子体に一体に形成される懸垂用捨て耳の上端位置を、格子体が互いに連結される部分の上端位置と同一またはそれより下方に形成する鉛蓄電池用連結格子基板が提案されている（特許文献１）。
【０００７】
【特許文献１】特開２００６−１７３０２９号公報
【発明の開示】
【発明が解決しようとする課題】
【０００８】
しかしながら、特許文献１に記載の方法は、懸垂時該懸垂用捨て耳に掛かる上向きの応力によっても連結される部分によって連結格子基板が変形しようとする力に抗するには限度があり、格子体が大きいもの（格子体重量が大きいもの）や一度に多量の格子体を作製する場合には格子体が変形することがあった。
かかる状況の中で、本願発明者は連結格子体の変形防止について種々検討した。
その結果、一対以上からなる格子体において、該格子部に集電部と足部を結ぶ直線状の格子を夫々設けることにより連結格子体の変形を防止できることを知見し、さらに検討を進めて本発明を完成させるに至った。
本発明は、複数の鉛蓄電池単位格子体が足部で連結された連結格子体において、前記連結格子体が変形し難い鉛蓄電池格子体の提供を目的とする。
【課題を解決するための手段】
【０００９】
本発明は、活物質を保持する格子を備えた格子部と、前記格子部の上枠に設けられた集電部と、前記格子部の下枠に設けられた複数の足部とを備える鉛蓄電池単位格子体が該足部で互いに連結された状態で複数枚分を一体とした鉛蓄電池連結格子体において、各単位格子体の集電部から下枠に設けられた複数の足部間に差し渡る直線状の格子を少なくとも２本設け、且つ、一方の単位格子体に設けられた直線状の格子と他方の単位格子体に設けられた直線状の格子とが足部を介して夫々連続していることを特徴とする鉛蓄電池連結格子体である。
【発明の効果】
【００１０】
本発明の鉛蓄電池連結格子体は、格子部に、集電部と複数の足部間を結ぶ直線状の格子を設け、更に、一対以上からなる単位格子体において、単位格子体に設けられた直線状の格子が足部を介して連続しているので、連結格子体の強度が向上する。従って、前記連結格子体は、極板製造時に、その両側の集電部で支持して保持および搬送を行っても変形が生じ難く、極板の製造歩留まりが向上する。
【発明を実施するための最良の形態】
【００１１】
本発明の鉛蓄電池連結格子体の実施形態を、図を参照して説明する。
図１（イ）に示す鉛蓄電池連結格子体９は、図１（ロ）に示す鉛蓄電池単位格子体１がその複数の足部５、６を結合し複数枚連結された形で鋳造されものである。該鉛蓄電池単位格子体１は、活物質を保持する多数マス目状に配された縦格子と横格子からなる格子２と、周りを四角形に囲む上枠３ａ、下枠３ｂ、横枠３ｃで構成される格子部、該上枠３ａの一辺から突出して形成される集電部４、下枠３ｂの一辺から突出して形成される複数の足部５、６を主要部とし、縦格子と横格子からなる格子２とは別に集電部４と足部５、６間にそれぞれ直線状の格子７、８が設けられた構造である。
【００１２】
図２、３に示す鉛蓄電池単位格子体１は、図１（ロ）に示す鉛蓄電池単位格子体１の内、集電部を中心に縦格子をハ字状とした点で相違し、集電部４と足部５、６間にそれぞれ直線状の格子を新たに設けずにハの字状に形成される縦格子の集電部４から夫々の足部５、６に差し渡り設けた縦格子７、８を直線状の格子として兼用することで、鉛蓄電池単位格子体１の重量、鉛量を低減することが可能となっている。
【００１３】
図１（ロ）、図２、図３に示した夫々の鉛蓄電池単位格子体１の足部５、６を結合し複数枚連結された形で鋳造された本発明の鉛蓄電池連結格子体９（図１（イ）参照）は、格子部３の集電部４と足部５、６間に直線状の格子７、８が少なくとも２本設けられ、更に、鉛蓄電池単位格子体１に設けられた直線状の格子７、８が足部を介して連続しているので極板製造時に変形し難い。従って、極板は寸法不良が減少して製造歩留まりが向上する。
【実施例１】
【００１４】
以下に、本発明を実施例により詳細に説明する。
本発明の連結格子体９（図１（イ）参照）は、鉛蓄電池単位格子体１を、それぞれ備える２個の足部５、６を互いに結合し２枚連結された形で金型鋳造して作製した。そして、得られた連結格子体９にペースト状活物質を充填し、次いで乾燥、熟成したのち、連結格子体９の足部５、６の連結部５１、６１（一対の鉛蓄電池単位格子体１足部５、６の中央部分）を切断して極板を製造した。
前記極板製造時の連結格子体９の保持および搬送は連結格子体９の両側に形成された集電部４を支持して行った。切断が終了した各１０００枚の極板について寸法不良個数を調査した。
なお、鉛蓄電池連結格子体９は、鉛にカルシウム、スズ、アルミニウム等の金属を取捨選択して適宜加えられた鉛基合金で鋳造され、活物質を保持する多数マス目状に配された縦格子と横格子からなる格子２と、周りを四角形に囲む上枠３ａ、下枠３ｂ、横枠３ｃで構成された格子部３、該上枠３ａの一辺から突出して形成される集電部４、下枠３ｂの一辺から突出して形成される２つの足部５、６を主要部とした鉛蓄電池単位格子体１の２枚がその２つの足部５、６で互いに連結して鋳造されているものである（Ｎｏ．１）。この際、下枠３ｂに形成された２つの足部５、６は、上枠３ａに形成された集電部４の下枠３ｂへの投影位置とはずらし、集電部４の投影位置を挟むように離間して位置している。そして、各鉛蓄電池単位格子体１、１は、縦格子と横格子からなる格子２とは別に集電部４と足部５、６間にそれぞれ直線状の格子７、８が計２本設けられているものである。結果、各鉛蓄電池単位格子体１に設けられた直線状の格子７、８は足部５、６を介し夫々連続している。
同様にして、縦格子２を集電部４を中心にハの字状形成し、この縦格子２の少なくとも２本は、それぞれ集電部４からそれぞれの足部５、６の差し渡る直線状の格子を備える図２に記載の単位格子体１を同様に連結して鋳造したもの（Ｎｏ．２）、及びハの字状の縦格子２の一部が上枠３ａから下枠３ｂへ連続して一本の格子では差し渡らず、途中で切断され、不連続で直線状とはなっていないも、集電部４から足部５、６へ差し渡る格子は直線状の格子を備える図３に記載の単位格子体１を同様に連結して鋳造したもの（Ｎｏ．３）をそれぞれ作製して、同様に極板を製造し、同様の調査を行った。
【００１５】
［比較例１］
図４（イ）に示される通り、実施例１の格子体において、直線状の格子が無いこと以外は実施例１と同じである従来の鉛蓄電池単位格子体１の連結格子体９（図４（ロ）参照）について実施例１と同じ方法により極板を製造し、実施例１と同じ調査を行った。
【００１６】
［比較例２］
図５に示される通り、実施例１の格子体において、直線状の格子を集電部４から下枠の両端に差し渡って２本設けた以外は実施例１と同じである鉛蓄電池単位格子体１の連結格子体について、実施例１と同じ方法により極板を製造し、実施例１と同じ調査を行った。
【００１７】
［比較例３］
図６に示される通り、実施例１の格子体において、直線状の格子を集電部４から一方の足部５のみに差し渡って１本設けた以外は実施例１と同じである鉛蓄電池単位格子体１の連結格子体について、実施例１と同じ方法により極板を製造し、実施例１と同じ調査を行った。
実施例１、比較例１〜３の結果を表１に示した。
【００１８】
［表１］
2009170184.tif 000003
【００１９】
表１から明らかなように、本発明例（実施例１：Ｎｏ．１〜３）の格子体を用いた極板は寸法不良数が０であった。
一方、比較例１（Ｎｏ．４）の格子体は補強格子が存在しないため寸法不良極板数が増加した。比較例２（Ｎｏ．５）の格子体は直線状の格子が集電部から足部へ連続していない（不連続）ため、力が分散して歪みの効果が十分でなかった。比較例３（Ｎｏ．６）の格子体は直線状の格子が集電部から足部へ連続しているが、格子数が１本であるため効果が十分でなかった。
なお、実施例１において、下枠３ｂに形成された２つの足部５、６は、上枠３ａに形成された集電部４の下枠３ｂへの投影位置とはずらし、集電部４の投影位置を挟むように離間して位置しているものを示したが、集電部を上枠の端部に形成し、いずれの足部も集電部の投影位置よりは一方にのみ偏って位置する連結格子体であっても効果を奏するが、その効果は実施例１に比し少し劣る。また、足部を３個、４個と多数形成されてものにあっては、集電部殻伸びる直線状の格子を全部の足部に差し渡って形成する要はなく、少なくとも２本形成すれば良い。
【図面の簡単な説明】
【００２０】
【図１】（イ）は本発明の第１の実施形態を示す連結格子体の平面説明図、（ロ）は前記連結格子体の単位格子体の平面説明図である。
【図２】本発明の鉛蓄電池単位格子体の第２の実施形態を示す平面説明図である。
【図３】本発明の鉛蓄電池単位格子体の第３の実施形態を示す平面説明図である。
【図４】（イ）は従来の鉛蓄電池格子体の平面説明図、（ロ）は前記格子体を足部で連結させた連結格子体の平面説明図、（ハ）は変形した連結格子体の平面説明図である。
【図５】比較例として斜め格子を備えた鉛蓄電池格子体の平面説明図である。
【図６】比較例として直線状格子を１本とした鉛蓄電池格子体平面説明図である。
【符号の説明】
【００２１】
１    鉛蓄電池単位格子体
２    活物質を保持する格子
３    格子部
３ａ  格子部の上枠
３ｂ  格子部の下枠
３ｃ  格子部の縦枠
４    集電部
５、６  格子部の足部
５１、６１  連結部
７、８  集電部と足部を結ぶ直線状の格子
９    複数の鉛蓄電池格子体を足部で連結させた連結格子体
１０  斜め格子
【図１】
2009170184.tif 000004
【図２】
2009170184.tif 000005
【図３】
2009170184.tif 000006
【図４】
2009170184.tif 000007
【図５】
2009170184.tif 000008
【図６】
2009170184.tif 000009